(57)【要約】【課題】  確実に硬貨を前に押し進ませて硬貨詰りを防止する回転盤式硬貨送出装置を提供する。【解決手段】  回転盤式硬貨送出装置１は、機体１０、回転円盤２０及びガイド腕３０を備える。機体１０は一つの出金口１１を有する。回転円盤２０は機体１０に設けられ、硬貨搬送面２１と放射状な列に並んでいる複数の押し柱２２を有し、その複数の押し柱２２は回転円盤２０に固定され且つ硬貨搬送面２１に突出し、各々隣り合う押し柱列の間のスペースが硬貨収納スペース２３と称される。ガイド腕３０は機体１０上且つ出金口１１の近くに設けられ、回転円盤２０上の硬貨搬送面２１を部分的に覆い、ガイド壁３１と底面にある少なくとも一つの円弧溝を有し、その円弧溝がガイド壁３１まで連通することにより、前記押し柱２２は回転円盤２０の回転とともにガイド腕３０を通過可能である。【選択図】  図１
2006065500.tif 000002
【特許請求の範囲】
【請求項１】
一つの機体を備え、その機体は一つの出金口を有し、
一つの回転円盤を備え、その回転円盤は機体に設けられ、一つの硬貨搬送面と放射状の列に並んでいる複数の押し柱を有し、その複数の押し柱は回転円盤に固定され且つ硬貨搬送面に突出し、各々隣り合う押し柱列の間のスペースが硬貨収納スペースとなり、
一つのガイド腕を備え、そのガイド腕は機体上且つ出金口の近くに設けられ、回転円盤上の硬貨搬送面を部分的に覆い、一つのガイド壁と底面にある少なくとも一つの円弧溝を有し、その円弧溝がガイド壁まで連通することにより、前記押し柱は回転円盤の回転とともにガイド腕を通過可能であることを特徴とする回転盤式硬貨送出装置。
【請求項２】
回転円盤は複数の硬貨スライディグ突部を有し、
前記複数の硬貨スライディグ突部が硬貨搬送面上に形成され、且つ前記押し柱の一側と接触していることより、前記押し柱の一側からの硬貨の押し出しを防止することを特徴とする請求項１に記載の回転盤式硬貨送出装置。
【請求項３】
ガイド腕は一つの硬貨スライディング斜面を有し、円弧溝はガイド壁を通して硬貨スライディング斜面まで連通することを特徴とする請求項１に記載の回転盤式硬貨送出装置。
【請求項４】
回転円盤は軸心処に一つの円錐体を有することを特徴とする請求項１に記載の回転盤式硬貨送出装置。
【請求項５】
回転円盤上にある円錐体の周縁に複数の攪棒が形成されていることを特徴とする請求項４に記載の回転盤式硬貨送出装置。
【請求項６】
機体に設けられる一つの硬貨収納ホッパーを更に備えることを特徴とする請求項１に記載の回転盤式硬貨送出装置。
【請求項７】
硬貨収納ホッパーには一つの硬貨攪動板が設けられ、且つ回転円盤には一つの硬貨攪動制御器が設けられ、その硬貨攪動制御器は一つの斜面を有し、硬貨攪動板は硬貨攪動制御器の斜面に接触可能であることにより、回転円盤の回転とともに揺れることを特徴とする請求項６に記載の回転盤式硬貨送出装置。
【請求項８】
複数の円弧溝は同心円弧であることを特徴とする請求項１に記載の回転盤式硬貨送出装置。
【発明の詳細な説明】
【技術分野】
【０００１】
本発明は硬貨送出装置に関し、特に硬貨詰りのない回転盤式硬貨送出装置に関する。
【背景技術】
【０００２】
現在の遊技機は殆どコインを使って遊ぶことになっており、カウンターで人力を使って硬貨を両替することより自動両替機を使用する方が経済的である為、一種の硬貨払い出し装置を必要とし、硬貨を一枚ずつ順に送出すると共に、硬貨を計数することができる。現在の硬貨送出装置は回転円盤の回転を利用して硬貨を放出する。例えば、特許文献１に記載されているように、回転円盤は機体に配設され、また回転円盤の前方に硬貨を収集して貯える為一つの硬貨収納ホッパーが配設される。且つ、機体にある出金口処に一つのガイド腕と一つの射出トリプとが配設される。更に、回転円盤の正面に複数の弾性トラップドアを有し、回転円盤が回転する時、硬貨は一枚ずつ順に、回転円盤上にある二つの隣り合う弾性トラップドアの間へ落下することができ、回転円盤と共に回転することになる。一つの硬貨は二つの弾性トラップドアに挟まれ、前方弾性トラップドアはガイド腕に到着する時、ガイド腕に押さえられながら回転円盤内に縮み、後方弾性トラップドアは硬貨が回転円盤から離れるよう硬貨を押す。そして、硬貨はガイド腕の導きと射出トリプ(swiveling trip)の力を受けて出金口より射出されることになる。ところが、弾性トラップドアは長時間の伸縮により、弾性疲労や硬貨詰り等の不具合を発生する可能性がかなり高く、もっとひどい場合は回転円盤と動力ユニットとが全て崩壊してしまうことがある。
【０００３】
【特許文献１】欧州特許出願公開第１０２０８１８号明細書
【発明の開示】
【発明が解決しようとする課題】
【０００４】
本発明の主な目的は、回転盤式硬貨送出装置を提供することにある。この装置は一つの機体、回転円盤及びガイド腕で構成される。回転円盤とガイド腕は機体に配設される。回転円盤には複数の押し柱がしっかりと固定されている。ガイド腕は一つのガイド壁及び少なくとも底面にある一つの円弧溝を有する。円弧溝がガイド腕のガイド壁まで連通することによって、回転円盤が回転する時、押し柱は伸縮動作を行うことなくガイド腕を通過することができ、従来の回転円盤上にある弾性トラップドアの代わりに、確実に硬貨を前に押し進ませて硬貨詰りのないようにする。
【課題を解決するための手段】
【０００５】
本発明の回転盤式硬貨送出装置は、出金口を持つ一つの機体、及び機体に設けられる一つの回転円盤と一つのガイド腕を備える。回転円盤は一つの硬貨搬送面と放射状の列に並んでいる複数の押し柱を有する。それらの押し柱は回転円盤に固定され且つその硬貨搬送面に突出する。各々隣り合う押し柱列の間に硬貨を収納するスペースがあり、そのスペースは硬貨収納スペースと称される。ガイド腕は機体且つ出金口の附近に配設され、一つのガイド壁と少なくとも底面にある一つの円弧溝を有する。ガイド腕がガイド壁まで連通するため、回転円盤の回転とともに押し柱はガイド腕を通過することができる。
【発明を実施するための最良の形態】
【０００６】
付図を参照して、下記に実施例を挙げて説明する。
図１から図３に示すのは本発明の実施例である。自動的に硬貨２を出す回転盤式硬貨送出装置は主に一つの機体１０、回転円盤２０及びガイド腕３０を含む。機体１０は一つの出金口１１と一つの回転円盤収納部１２を有する。更に、機体１０内には回転円盤２０を駆動できる一つの動力ユニット（図面に描いていない）と、硬貨２を射出することに使われる一つの射出トリプ１３と、硬貨２の出金を検知して出金口１１の近くにある一つのセンサ１４を設ける。動力ユニットはその回転円盤収納部１２より露出する一つのモータギヤ１５を有する。
【０００７】
図１から図３に示すように、機体１０の回転円盤収納部１２内には回転円盤２０が設けられ、回転円盤２０の軸が機体１０の軸孔１６に置かれ、回転円盤２０の周縁のギヤ部２６はモータギヤ１５とかみ合って回転円盤２０の回転を駆動する。回転円盤２０上には一つの硬貨搬送面２１と放射状な列に並んでいる複数の押し柱２２が有る。それらの押し柱２２が回転円盤２０に固定され且つ硬貨搬送面２１に突出する。各列は少なくとも一つの押し柱２２を含んでいる。図３に示すように、本実施例では各列に、回転円盤２０の中心からそれぞれ違う距離を持つ三つの押し柱２２ａ、２２ｂ、２２ｃを有する。各々隣り合う押し柱列２２の間のスペースを硬貨収納スペース２３と称し、この硬貨収納スペース２３は一枚の硬貨２を平たく収納することになる。押し柱２２の直径は5.0mm以下であることが好ましく、特に3.0mm以下にすればベストであると思われ、原則として硬貨２の直径の三分の一以下、或はガイド腕３０のガイド壁３１の長さの三分の一以下にするべきである。各列の押し柱の間隔（２２ａ−２２ｂ、２２ｂ−２２ｃ）は押し柱２２ａ、２２ｂ、２２ｃの直径より大きくなっている（3.0mmより大きい）。本実施例では、回転円盤２０上に複数の硬貨スライディグ突部２４を更に有する。それらの硬貨スライディグ突部２４が硬貨搬送面２１上に形成され、且つ押し柱２２の一側と接触するため、押し柱２２の一側から硬貨２を押し出すことができない。本実施例の説明は、回転円盤２０の回転方向を制限するものではなく、図２に示すように、回転円盤２０が反時計方向に回転する時、硬貨２が一枚ずつ硬貨収納スペース２３内に平たく収納され、且つ押し柱２２に出金口１１へ押し出される。一方、回転円盤２０が順時計方向に回転する時、硬貨収納スペース２３に平たく収納される硬貨２が押し柱２２の一側の硬貨スライディグ突部２４に押されることがなくなり、自然に押し柱２２の斜面側に導かれて転落するため、硬貨２を撹動して引っ繰り返させる効果を向上させて、更に回転円盤２０の所の硬貨詰りを防止する。尚、回転円盤２０の軸心には一つの円錐体２５を設けることが願わしい。円錐体２５の周縁には尖端を持つ複数の攪棒２９が形成され、本実施例では回転円盤２０の回転とともに各攪棒２９の尖端で硬貨２を攪動して引っ繰り返させる効果を達成できる。他に、回転円盤２０の軸心にある円錐体２５の頂点に斜面２８を持つ一つの硬貨攪動制御器２７が設けられる。
【０００８】
図２及び図３に示すように、ガイド腕３０は機体１０上且つ出金口の近くに設けられる。ガイド腕３０は回転円盤２０上の硬貨搬送面２１を部分的に覆っており、この覆う面積は少なくとも一つの硬貨収納スペース２３より大きくする。図４に示すように、ガイド腕３０は一つのガイド壁３１と底面にある少なくとも一つの円弧溝３２ａ、３２ｂ、３２ｃを有し、これらの円弧溝３２ａ、３２ｂ、３２ｃの数は押し柱２２ａ、２２ｂ、２２ｃの数に等しい。円弧溝３２ａ、３２ｂ、３２ｃはガイド壁３１まで連通しており、且つ同心円弧となれば良い。尚、射出トリプ１３のローラ１３ａはガイド腕３０のガイド壁３１の一端に対応している。次に図４に示すように、回転円盤２０が回転する時、押し柱２２は一列ずつガイド腕３０を通過できる。但し、図２に示すように、各硬貨収納スペース２３に平たく収納される硬貨２はガイド腕３０のガイド壁３１を通過することができないため（一つの硬貨収納スペース２３にあって前後二つの押し柱２２列に挟まれる）、ガイド腕３０のガイド壁３１に沿って出金口１１へその後列の押し柱２２によって押し出される。次に、硬貨２は射出トリプ１３のローラ１３ａに接触して最高点に着くと、射出トリプ１３によって出金口１１へ射出され、そしてセンサ１４に検知されてカウントされる。本実施例では、ガイド腕３０は一つの硬貨スライディング斜面３３と一つの定位柱３４を更に有する。円弧溝３２ａ、３２ｂ、３２ｃはガイド壁３１を通って硬貨スライディング斜面３３まで連通することができる。定位柱３４がガイド壁３１の外部且つ出金口１１の近くに形成されることにより、硬貨２の転落を防止することができる。
【０００９】
すなわち、上記の回転盤式硬貨送出装置1によれば、従来の回転円盤上にある弾性トラップドアに代わって、放射状な列に並び且つ回転円盤２０に固定される押し柱２２、及びガイド腕３０に設けられ且つ対応している押し柱２２を通過させる円弧溝３２ａ、３２ｂ、３２ｃを使うことにより、もっと滑らかに硬貨２を送出することができ、硬貨２の詰りによる回転円盤２０の崩壊の可能性を少なくする。
【００１０】
なお、本実施例の回転盤式硬貨送出装置1には硬貨２を攪動し、引っ繰り返す多種の機構を更に設ける。図６に示すように、回転盤式硬貨送出装置1には、更に一つの硬貨収納ホッパー４０が機体１０の正面に設けられる。この硬貨収納ホッパー４０には、回転円盤２０上にある硬貨攪動制御器２７の斜面２８に接触できる一つの硬貨攪動板４１が設けられ、この硬貨攪動板４１が回転円盤２０の回転とともに揺れることによって、硬貨収納ホッパー４０中に収集される硬貨２が部分的に架空の状態とならない。つまり、硬貨収納ホッパー４０中には実際に硬貨２が十分あるのに、硬貨不足であると間違った判断がされて硬貨２を出せないということがない。しかも、全体的に見ると回転盤式硬貨送出装置1にとって、円錐体２５の周縁に形成される攪棒２９と硬貨スライディグ突部２４とガイド腕３０との取り合わせで硬貨２を攪動して引っ繰り返させる効果が良くなる。
【００１１】
本発明の保護範囲は特許請求の範囲で限定され、この保護範囲に基づいて、本発明の精神と範囲内に触れるどんな変更や修正も本発明の保護範囲に属する。
【図面の簡単な説明】
【００１２】
【図１】本発明の実施例による回転盤式硬貨送出装置の機構を示す立体分解図である。
【図２】本発明の実施例による回転盤式硬貨送出装置を示す立体分解図である。
【図３】本発明の実施例による回転盤式硬貨送出装置を示す正面図である。
【図４】本発明の実施例による回転盤式硬貨送出装置のガイド腕を示す立体図である。
【図５】本発明の実施例による回転盤式硬貨送出装置において回転円盤が回転している状態を示す断面図である。。
【図６】本発明の実施例による回転盤式硬貨送出装置を完全に組み立てた状態を示す立体図である。
【符号の説明】
【００１３】
１  回転盤式硬貨送出装置、２  硬貨、１０  機体、１１  出金口、１２  回転円盤収納部、１３  射出トリプ、１３ａ  ローラ、１４  センサ、１５  モータギヤ、１６  軸孔、２０  回転円盤、２１  硬貨搬送面、２２、２２ａ、２２ｂ、２２ｃ  押し柱、２３  硬貨収納スペース、２４  硬貨スライディグ突部、２５  円錐体、２６  ギヤ部、２７  硬貨攪動制御器、２８  斜面、２９  攪棒、３０  ガイド腕、３１  ガイド壁、３２ａ、３２ｂ、３２ｃ  円弧溝、３３  硬貨スライディング斜面、３４  定位柱、４０  硬貨収納ホッパー、４１  硬貨攪動板
【図１】
2006065500.tif 000003
【図２】
2006065500.tif 000004
【図３】
2006065500.tif 000005
【図４】
2006065500.tif 000006
【図５】
2006065500.tif 000007
【図６】
2006065500.tif 000008